(57)【特許請求の範囲】
【請求項１】
同報送信における複数の送信先のそれぞれについて送信先情報を非報知に設定するか否かの指定を受け付ける非報知設定受付手段と、
前記同報送信における複数の送信先についての前記送信先情報をそれぞれ含む所定情報のうち、前記非報知設定受付手段を介して非報知に設定する旨の指定がなされた送信先に関して、前記送信先情報を除いた前記情報を報知する報知手段とを具備したことを特徴とするファクシミリ装置。
【請求項２】
送信先情報の非報知が設定された送信に対応付けて暗証情報を記憶しておく記憶手段と、
前記報知手段が送信先情報の非報知を設定する旨の指定がなされた送信先を含む送信に関する所定情報を報知するべきときに、暗証情報の指定を受け付ける暗証受付手段とをさらに具備し、
前記報知手段は、前記暗証受付手段により受け付けられた暗証情報が前記報知するべき所定情報に関する送信に対応付けて前記記憶手段に記憶された暗証情報と一致しない場合には前記報知するべき所定情報のうちで前記非報知設定受付手段を介して非報知に設定する旨の指定がなされた送信先に関する送信先情報を除いた情報を報知し、前記２つの暗証情報が一致する場合には前記報知するべき所定情報を前記非報知設定受付手段を介して非報知に設定する旨の指定がなされた送信先に関する送信先情報を含めて全て報知することを特徴とする請求項１に記載のファクシミリ装置。
【請求項３】
前記報知手段は、前記所定情報に含まれる情報の少なくとも一部をリストとして表す画像を印刷することによって前記所定情報を報知するものであり、前記非報知設定受付手段を介して非報知に設定する旨の指定がなされた送信先に関する送信先情報を前記画像中においては当該送信先情報とは無関係な記号で表すことを特徴とする請求項１に記載のファクシミリ装置。
【請求項４】
ファクシミリ装置における送信に関する所定情報を報知する情報報知方法において、
同報送信における複数の送信先のそれぞれについて送信先情報を非報知に設定するか否かの指定を受け付け、
前記同報送信における複数の送信先についての送信先情報をそれぞれ含む所定情報のうち、前記非報知設定受付手段を介して非報知に設定する旨の指定がなされた送信先に関して、前記送信先情報を除いた前記情報を報知することを特徴とする情報報知方法。
【請求項５】
送信先情報の非報知が設定された送信に対応付けて暗証情報を記憶しておき、
送信先情報の非報知を設定する旨の指定がなされた送信先を含む送信に関する所定情報を報知するべきときに、暗証情報の指定を受け付け、
この受け付けられた暗証情報が前記報知するべき所定情報に関する送信に対応付けて前記記憶手段に記憶された暗証情報と一致しない場合には前記報知するべき所定情報のうちで前記非報知設定受付手段を介して非報知に設定する旨の指定がなされた送信先に関する送信先情報を除いた情報を報知し、前記２つの暗証情報が一致する場合には前記報知するべき所定情報を前記非報知設定受付手段を介して非報知に設定する旨の指定がなされた送信先に関する送信先情報を含めて全て報知することを特徴とする請求項４に記載の情報報知方法。
【請求項６】
前記所定情報に含まれる情報の少なくとも一部をリストとして表す画像を印刷することによって前記所定情報を報知することとし、非報知に設定する旨の指定がなされた送信先に関する送信先情報を前記画像中においては当該送信先情報とは無関係な記号で表すことを特徴とする請求項４に記載の情報報知方法。
【発明の詳細な説明】
【０００１】
【発明の属する技術分野】
本発明は、送信の実行状況や履歴をユーザに報知する機能を備えたファクシミリ装置およびこのようなファクシミリ装置における情報報知方法に関する。
【０００２】
【従来の技術】
ファクシミリ装置では、送信中においてその送信の実行状況をディスプレイ表示したり、あるいは過去に行った送信の結果などの送信履歴をディスプレイ表示や印刷することが行われている。そしてこれらの報知動作を行う場合には通常、送信先の電話番号が併せて報知される。
【０００３】
【発明が解決しようとする課題】
ところでファクシミリ装置は、多くの場合、複数のユーザにより共有される。このため、上述のような報知はこれら複数のユーザに対して行われることになり、本体の送信者以外の者も送信先等を知り得ることとなっている。
【０００４】
このため、送信者が送信先を第三者に知られたくないと思っても、上述の報知機能により知られてしまうという不具合があった。
【０００５】
本発明はこのような事情を考慮してなされたものであり、その目的とするところは、必要に応じて送信先を秘匿することを可能とすることにある。
【０００６】
【課題を解決するための手段】
本発明の一態様では、同報送信における複数の送信先のそれぞれについて送信先情報を非報知に設定するか否かの指定を受け付け、前記同報送信における複数の送信先についての送信先情報をそれぞれ含む所定情報ののうち、前記非報知設定受付手段を介して非報知に設定する旨の指定がなされた送信先に関して、前記送信先情報を除いた前記情報を報知する。
【０００７】
このような手段を講じたことにより、非報知に設定された送信に関する送信先情報の報知手段による報知はなされない。従って、送信者が他者に送信先を知られたくない送信を非報知に設定をしておけば、その送信の送信先が報知手段によって他者に報知されてしまうことがなくなる。
【０００８】
【発明の実施の形態】
以下、図面を参照して本発明の一実施形態につき説明する。
【０００９】
図１は本実施形態に係るファクシミリ装置の要部構成を示す機能ブロック図である。
【００１０】
この図に示すように本実施形態のファクシミリ装置は、ＣＰＵ１、ＲＯＭ２、ＲＡＭ３、情報記憶部４、画像記憶部５、符号化・復号化部６、スキャナ７、プリンタ８、モデム９、ＮＣＵ１０、電話機制御部１１、電話機１２、回線信号検出部１３、操作・表示部１４および時計部１５を有してなる。
【００１１】
そして、ＣＰＵ１、ＲＯＭ２、ＲＡＭ３、情報記憶部４、画像記憶部５、符号化・復号化部６、スキャナ７、プリンタ８、モデム９、ＮＣＵ１０、回線信号検出部１３、操作・表示部１４および時計部１５は、システムバス１６を介して互いに接続されている。またＮＣＵ１０にはモデム９および電話機制御部１１が、さらに電話機制御部１１には電話機１２および回線信号検出部１３がそれぞれ接続されている。
【００１２】
ＣＰＵ１は、ＲＯＭ２に格納された制御プログラムに基づいて、各部を総括制御するための制御処理を行うことで、ファクシミリ装置としての動作を実現する。
【００１３】
ＲＯＭ２は、ＣＰＵ１の制御プログラム等を記憶する。
【００１４】
ＲＡＭ３としては、ＤＲＡＭやＳＲＡＭが用いられる。そしてＲＡＭ３は、ＣＰＵ１が各種の処理を行うために必要となる各種の情報を記憶するために使用される。
【００１５】
情報記憶部４は、例えばフラッシュメモリなどを用いてなり、各種の設定情報やその他の情報を記憶しておく。
【００１６】
画像記憶部５は、例えば大容量のＤＲＡＭや、ハードディスク装置などを用いてなり、受信した画像データや送信待ちの画像データを一時的に記憶しておく。
【００１７】
符号化・復号化部６は、画像データに対して冗長度圧縮のための符号化処理を施すとともに、冗長度圧縮のための符号化がなされている画像データの復号を行うものである。
【００１８】
スキャナ７は、送信原稿の読取りを行って、その送信原稿を示す画像データを生成する。
【００１９】
プリンタ８は、画像データが示す画像を記録用紙に対して印刷する。
【００２０】
モデム９は、画像データを変調してファクシミリ伝送信号を生成したり、ＣＰＵ１から与えられるコマンドを変調してコマンド伝送信号を生成するものであり、これらの伝送信号をＮＣＵ１０を介してＰＳＴＮ加入者線Ｃへと送出する。またモデム９は、ＰＳＴＮ加入者線Ｃを介して到来し、ＮＣＵ１０を介して与えられたファクシミリ伝送データを復調して画像データを再生したり、コマンド伝送信号を復調してコマンドを再生する。
【００２１】
ＮＣＵ１０には、ＰＳＴＮ（図示せず）に収容されたＰＳＴＮ加入者線Ｃが接続されている。そしてＮＣＵ１０は、この接続されたＰＳＴＮ加入者線Ｃに関して、状態監視や網への発信処理などを行なう。またＮＣＵ１０は、ＰＳＴＮ加入者線Ｃに対して送出するファクシミリ伝送信号の等化を図るとともに、レベルを設定する。
【００２２】
電話機制御部１１は、電話機１２を使用してＰＳＴＮ加入者線Ｃを介しての通話を行うことを可能とするための周知の制御処理を行う。
【００２３】
回線信号検出部１３は、ＰＳＴＮ加入者線Ｃを介して到来する信号をＮＣＵ１０および電話機制御部１１を介して受け、所定の信号の到来を検出する。
【００２４】
操作・表示部１４は、ユーザによるＣＰＵ１に対する各種の指示入力を受け付けるためのキー入力部や、ユーザに対して報知すべき各種の情報をＣＰＵ１の制御の下に表示するための表示部などを有する。
【００２５】
時計部１５は、計時動作を常時行い、現在時刻を示す現在時刻情報を出力する。
【００２６】
さて、ＣＰＵ１がＲＯＭ２に格納された制御プログラムに基づいて動作することで実現される制御手段としては、ファクシミリ装置として周知の各種の機能を実現するための手段に加えて、報知制御手段、非報知設定受付手段および報知禁止手段を有している。
【００２７】
報知制御手段は、操作・表示部１４を制御しての送信状況表示や送信履歴表示、およびプリンタ８を制御しての送信結果票や送信履歴票の印刷を行う。ここで送信状況表示とは、送信中におけるユーザ指示に応じて現送信状況を報知するためのディスプレイ表示である。送信履歴表示とは、過去の送信に関する送信結果などの情報を報知するためのディスプレイ表示である。送信結果票とは、送信終了時に、その終了した送信に関する送信結果などの情報を印刷出力するものである。また送信履歴票とは、過去の送信に関する送信結果などの情報を印刷出力するものである。これらの送信状況表示、送信履歴表示、送信結果票および送信履歴票での報知情報の項目にはいずれも送信先電話番号を含んでいる。かくして本実施形態では、報知制御手段と操作・表示部１４やプリンタ８とにより報知手段が実現される。
【００２８】
非報知設定受付手段は、送信指定の受け付け時にその送信に係る送信先を非報知にするか否かの設定を受け付ける。
【００２９】
報知禁止手段は、非報知設定受付手段により非報知の設定の指定が受け付けられた通信に関する報知を報知制御手段が行う際に、電話番号の報知を禁止する。
【００３０】
次に以上のように構成されたファクシミリ装置の動作につき説明する。
【００３１】
なお、ファクシミリ装置としての基本的な動作は従来よりあるファクシミリ装置と同様であるので説明を省略し、ここでは本発明の特徴的な動作について説明する。
【００３２】
当該ファクシミリ装置がファクシミリ送信を開始することが可能な状態にあるときに１つのみの相手に宛ててファクシミリ送信を行う通常送信の要求がなされたことに応じてＣＰＵ１は、図２に示すような通常送信時処理を実行する。
【００３３】
この通常送信時処理においてＣＰＵ１はまず、操作・表示部１４にて何らかのキーが押下されるのを待ち受ける（ステップＳＴ１）。そしてここでキーが押下されたことを確認したならばＣＰＵ１は続いて、その押下されたキーがテンキーおよび短縮キーのいずれであるかを確認する（ステップＳＴ２）。
【００３４】
ここでテンキーが押下されたことを確認したならばＣＰＵ１は、そのテンキー押下およびさらにそれに続いてなされるテンキー押下による電話番号入力を受け付け、その入力された電話番号を宛先番号としてＲＡＭ３などに記憶する（ステップＳＴ３）。続いてＣＰＵ１は、操作・表示部１４でのユーザ操作により行われる諸設定の指定を受け付ける（ステップＳＴ４）。ここで受け付ける諸設定は、例えば画像濃度や画質などといった周知のものに加えて、非表示設定や送信結果票の出力設定などを含む。
【００３５】
次にＣＰＵ１は、ステップＳＴ４で非表示設定の指定がなされたか否かを確認する（ステップＳＴ５）。そして非表示設定が指定されていた場合にのみＣＰＵ１は、例えばＲＡＭ３に用意された非表示フラグをセットする（ステップＳＴ６）。
【００３６】
一方、短縮キーが押下されたことをステップＳＴ２にて確認した場合にＣＰＵ１は、この短縮キーの押下に続いてユーザによりなされる短縮番号入力を受け付ける（ステップＳＴ７）。そしてＣＰＵ１は、ここで受け付けた短縮番号に対応する電話番号を取得し、これを宛先番号としてＲＡＭ３などに記憶する（ステップＳＴ８）。なお、１つの短縮番号に対しては例えば図３に示すような各種情報が設定されていて、これが例えば情報記憶部４に記憶されているので、ＣＰＵ１は入力された短縮番号に基づいて上記の情報を検索して電話番号を取得する。なお図３に示すように、短縮番号には非表示設定を登録することが可能となっていて、これは短縮番号登録の際にユーザがＯＮまたはＯＦＦに任意に設定することができる。
【００３７】
続いてＣＰＵ１は、入力された短縮番号に対応付けられている非表示設定がＯＮとなっているか否かを確認する（ステップＳＴ９）。そして非表示設定がＯＮとなっている場合にのみＣＰＵ１は、非表示フラグをセットする（ステップＳＴ６）。そして次にＣＰＵ１は、非表示設定を含まない諸設定の指定を受け付ける（ステップＳＴ１１）。
【００３８】
さて、ステップＳＴ５にて非表示設定がＯＦＦであると判定した場合、またステップＳＴ６で非表示フラグをセットしたのち、あるいはステップＳＴ１１での諸設定の受け付けを終了したのち、ＣＰＵ１は操作・表示部１４に設けられたスタートキーが押下されるのを待ち受ける（ステップＳＴ１２）。そしてここでスタートキーの押下が確認されたことに応じてＣＰＵ１は、周知の手順による通信処理を実行し（ステップＳＴ１３）、この通信処理が完了したこともって今回の通常送信時処理を終了する。
【００３９】
以上のようにして通常送信時処理においてＣＰＵ１は、送信に関する諸設定の受け付けの中で非表示設定の指定も受け付け、その指定結果を非表示フラグに反映しておく。なお、短縮番号により送信先の指定がなされる場合には、短縮番号に対応付けて設定されている非表示設定をそのまま今回の送信に関する非表示設定として受け付ける。
【００４０】
一方、当該ファクシミリ装置がファクシミリ送信を開始することが可能な状態にあるときに複数の相手に宛ててファクシミリ送信を行う同報送信の要求がなされたことに応じてＣＰＵ１は、図４に示すような同報送信時処理を実行する。
【００４１】
この同報送信時処理においてＣＰＵ１はまず、送信先数を管理するための変数Ｎを「１」に初期設定する（ステップＳＴ２１）。この上でＣＰＵ１は、操作・表示部１４にて何らかのキーが押下されるのを待ち受ける（ステップＳＴ２２）。そしてここでキーが押下されたことを確認したならばＣＰＵ１は続いて、その押下されたキーがテンキーおよび短縮キーのいずれであるかを確認する（ステップＳＴ２３）。
【００４２】
ここでテンキーが押下されたことを確認したならばＣＰＵ１は、そのテンキー押下およびさらにそれに続いてなされるテンキー押下による電話番号入力を受け付け、その入力された電話番号をＮ番目の宛先番号としてＲＡＭ３などに記憶する（ステップＳＴ２４）。続いてＣＰＵ１は、操作・表示部１４でのユーザ操作により行われる諸設定の指定を受け付ける（ステップＳＴ２５）。ここで受け付ける諸設定は、例えば画像濃度や画質などといった周知のものに加えて、非表示設定や送信結果票の出力設定などを含む。
【００４３】
次にＣＰＵ１は、ステップＳＴ２５で非表示設定の指定がなされたか否かを確認する（ステップＳＴ２６）。そして非表示設定が指定されていた場合にのみＣＰＵ１は、例えばＲＡＭ３に用意されたＮ番目の宛先用の非表示フラグをセットする（ステップＳＴ２７）。
【００４４】
一方、短縮キーが押下されたことをステップＳＴ２３にて確認した場合にＣＰＵ１は、この短縮キーの押下に続いてユーザによりなされる短縮番号入力を受け付ける（ステップＳＴ２８）。そしてＣＰＵ１は、ここで受け付けた短縮番号に対応する電話番号を取得し、これを宛先番号としてＲＡＭ３などに記憶する（ステップＳＴ２９）。
【００４５】
続いてＣＰＵ１は、入力された短縮番号に対応付けられている非表示設定がＯＮとなっているか否かを確認する（ステップＳＴ３０）。そして非表示設定がＯＮとなっている場合にのみＣＰＵ１は、Ｎ番目の宛先用の非表示フラグをセットする（ステップＳＴ３１）。そして次にＣＰＵ１は、非表示設定を含まない諸設定の指定を受け付ける（ステップＳＴ３２）。
【００４６】
さて、ステップＳＴ２６にて非表示設定がＯＦＦであると判定した場合、またステップＳＴ２７で非表示フラグをセットしたのち、あるいはステップＳＴ３２での諸設定の受け付けを終了したのち、ＣＰＵ１は変数Ｎを「Ｎ＋１」に更新する（ステップＳＴ３３）。そしてこの上でＣＰＵ１は、操作・表示部１４にて何らかのキーが押下されるのを待ち受ける（ステップＳＴ３４）。
【００４７】
ここでキー押下がなされたならばＣＰＵ１は、その押下されたキーがテンキー、短縮キーおよびスタートキーのいずれであるかを確認する（ステップＳＴ３５）。そして押下されたのがテンキーであることを確認したならばステップＳＴ２４以降の処理を、また押下されたのが短縮キーであることを確認したならばステップＳＴ２８以降の処理をそれぞれ繰り返すことで、別の宛先の指定を受け付ける。
【００４８】
全ての宛先の指定が終了したならば、ユーザはスタートキーを押下する取り決めとなっている。そこでスタートキーが押下されたことをステップＳＴ３５で確認したならばＣＰＵ１は、周知の手順による同報通信処理を実行し（ステップＳＴ３６）、この通信処理が完了したこともって今回の通常送信時処理を終了する。
【００４９】
以上のようにして同報送信時処理においてＣＰＵ１は、複数の宛先のそれぞれについて個々に非表示設定の指定を受け付け、その指定結果を個々の宛先に対応した非表示フラグに反映しておく。なおこの場合でも、短縮番号により送信先の指定がなされる場合には、短縮番号に対応付けて設定されている非表示設定をそのまま今回の送信に関する非表示設定として受け付ける。
【００５０】
さて、前述のステップＳＴ１３での通信処理や、ステップＳＴ３６での同報通信処理が行われているときにおいて、操作・表示部１４での所定の指示操作により送信状況表示が要求されたことに応じてＣＰＵ１は、図５に示すような送信状況表示処理を実行する。
【００５１】
この送信状況表示処理においてＣＰＵ１はまず、実行中の送信に関する所定情報を取得する（ステップＳＴ４１）。ここで取得する所定情報は、送信の実行状況をユーザが確認するための参考となる情報であって、本実施形態ではジョブＮｏ．、宛先番号、送信中ページ番号および通信速度とする。
【００５２】
続いてＣＰＵ１は、実行中の送信に関する非表示フラグがＯＮであるか否かを確認する（ステップＳＴ４２）。そしてここで非表示フラグがＯＮであることを確認した場合にのみＣＰＵ１は、ステップＳＴ４１で取得した宛先番号を「＊＊＊＊＊＊＊＊」に置き換える（ステップＳＴ４３）。
【００５３】
そしてＣＰＵ１は、非表示フラグがＯＦＦであるならばステップＳＴ４１で取得したままの情報に従って、また非表示フラグがＯＮであるならばステップＳＴ４３で宛先番号を置き換えた情報に従って、所定フォーマットの送信状況画像を作成し、この送信状況画像を操作・表示部１４にて表示させ（ステップＳＴ４４）、これをもって今回の送信状況表示処理を終了する。
【００５４】
これにより、非表示設定がＯＦＦである送信の実行中には、例えば図６（ａ）に示すような送信状況表示がなされ、ユーザは宛先番号を視認することができる。これに対して非表示設定がＯＮである送信の実行中には、例えば図６（ｂ）に示すような宛先番号が隠された送信状況表示がなされ、ユーザは宛先番号を視認することができない。
【００５５】
一方、前述した通常送信時処理や同報送信時処理が終了したならば、続いてＣＰＵ１は図７に示すような送信終了時処理を実行する。この送信終了時処理においてＣＰＵ１はまず、今回終了した送信に関する所定情報を取得する（ステップＳＴ５１）。そしてＣＰＵ１は、この取得した所定情報を例えば情報記憶部４に設けられた送信履歴情報エリアに格納する（ステップＳＴ５２）。ここで所定情報は、送信の結果をユーザが確認するための参考となる情報であって、本実施形態では送信日時、送信先電話番号、送信ページ数、送信結果および非表示フラグとする。そして送信履歴情報エリアには、例えば図８に示すようにこれらの各情報を格納するための領域が設けられているので、ここに各情報を格納するのである。なお、今回終了したのが同報送信時処理であれば、複数の宛先への送信が行われたので、それぞれの送信に関する情報を個々に収集し、格納する。
【００５６】
続いてＣＰＵ１は、今回終了した送信に関して送信結果出力設定がＯＮとされているか否かを確認する（ステップＳＴ５３）。そしてここで送信結果出力設定がＯＮとされていないのであればＣＰＵ１は、上述の送信履歴の作成処理のみで今回の送信終了処理を終了する。しかしながら送信結果出力設定がＯＮとされているのであればＣＰＵ１は、今回終了した送信処理での送信（同報送信時処理の場合は複数）のうちで非表示フラグがＯＮである送信の宛先番号のみをすべて「＊＊＊＊＊＊＊＊」に置き換える（ステップＳＴ５４）。そしてこのように非表示フラグがＯＮである送信の宛先番号のみを置き換えた情報に基づき所定フォーマットの送信結果票画像を作成し、これをプリンタ８にて印刷させる（ステップＳＴ５５）。
【００５７】
これにより、通常送信時処理の終了時には、行われた送信に関する非表示設定がＯＦＦであるならば例えば図９（ａ）に示すような送信結果票が印刷され、ユーザは宛先番号を視認することができる。これに対して非表示設定がＯＮであるならば、例えば図９（ｂ）に示すような宛先番号が隠された送信結果票が印刷され、ユーザは宛先番号を視認することができない。
【００５８】
一方、同報送信時処理の終了時には、図１０に示すように非表示設定がＯＮである宛先番号のみが隠された送信結果票が印刷される。
【００５９】
さて、ユーザが過去に行った送信の結果をディスプレイ表示により確認するべく送信履歴の表示を要求する指示操作を操作・表示部１４で行ったならば、ＣＰＵ１はこの要求に応じて図１１に示すような送信履歴表示処理を実行する。
【００６０】
この送信履歴表示処理においてＣＰＵ１はまず、終了した送信のうちの最新のものに関する履歴情報を送信履歴情報エリアから取得する（ステップＳＴ６１）。
【００６１】
続いてＣＰＵ１は、取得した履歴情報に含まれる非表示フラグがＯＮであるか否かを確認する（ステップＳＴ６２）。そしてここで非表示フラグがＯＮであることを確認した場合にのみＣＰＵ１は、取得してある履歴情報のうちの宛先番号を「＊＊＊＊＊＊＊＊」に置き換える（ステップＳＴ６３）。
【００６２】
そしてＣＰＵ１は、非表示フラグがＯＦＦであるならば取得したままの情報に従って、また非表示フラグがＯＮであるならばステップＳＴ６３で宛先番号を置き換えたのちの履歴情報に従って、所定フォーマットの送信履歴画像を作成し、この送信履歴画像を操作・表示部１４にて表示させる（ステップＳＴ６４）。
【００６３】
これにより、非表示設定がＯＦＦである送信の実行中には、例えば図１２（ａ）に示すような送信履歴表示がなされ、ユーザは宛先番号を視認することができる。これに対して非表示設定がＯＮである送信の実行中には、例えば図１２（ｂ）に示すような宛先番号が隠された送信履歴表示がなされ、ユーザは宛先番号を視認することができない。
【００６４】
このように１送信に関する送信履歴表示を行った状態においてＣＰＵ１は、操作・表示部にて何らかのキーが押下されるのを待ち受ける（ステップＳＴ６５）。そしてここでキーが押下されたことを確認したならばＣＰＵ１は続いて、その押下されたキーが順送りを指定するキー、逆送りを指定するキーおよびリセットキーのいずれであるかを確認する（ステップＳＴ６６）。
【００６５】
ここで順送りキーが押下されたのであればＣＰＵ１は、それまでに取得してあった履歴情報が該当する送信よりも１つ後に行われた送信に関する履歴情報を送信履歴情報エリアから取得し（ステップＳＴ６７）、この履歴情報を対象としてステップＳＴ６２以降の処理を繰り返す。また逆送りキーが押下されたのであればＣＰＵ１は、それまでに取得してあった履歴情報が該当する送信よりも１つ前に行われた送信に関する履歴情報を送信履歴情報エリアから取得し（ステップＳＴ６８）、この履歴情報を対象としてステップＳＴ６２以降の処理を繰り返す。
【００６６】
このようにして、１送信毎にその送信結果がディスプレイ表示される。そしてリセットキーの押下がなされたことをステップＳＴ６６にて確認したならばＣＰＵ１は、送信履歴画像の表示を停止させ（ステップＳＴ６９）、これをもって今回の送信履歴表示処理を終了する。
【００６７】
さて、ユーザが過去に行った送信の結果を送信履歴票により確認するべく送信履歴の出力を要求する指示操作を操作・表示部１４で行ったならば、ＣＰＵ１はこの要求に応じて図１３に示すような送信履歴印刷処理を実行する。
【００６８】
この送信履歴印刷処理においてＣＰＵ１はまず、送信履歴情報エリアに記憶されている全履歴情報を取得する（ステップＳＴ７１）。
【００６９】
次にＣＰＵ１は、全履歴情報のうちで非表示フラグがＯＮであるものの宛先番号のみをすべて「＊＊＊＊＊＊＊＊」に置き換える（ステップＳＴ７２）。そしてこのように非表示フラグがＯＮである送信の宛先番号のみを置き換えた履歴情報に基づき所定フォーマットの送信履歴票画像を作成し、これをプリンタ８にて印刷させる（ステップＳＴ７３）。
【００７０】
これにより、図１４に示すように非表示設定がＯＮである宛先番号のみが隠された送信履歴票が印刷される。
【００７１】
以上のように本実施形態によれば、非表示設定がＯＮされた送信に限って、その送信中における送信状況表示、その送信の終了時に印刷する送信結果票、ならびにその送信に関する送信履歴表示と送信履歴票のそれぞれにおいて、宛先番号を「＊＊＊＊＊＊＊＊」で置き換えて示すことで宛先番号を隠す。従って、これら送信状況表示、送信結果票、送信履歴表示および送信履歴票を本来の送信者ではないユーザが見たとしても、非表示設定がなされた送信に関する送信宛先を知ることはできない。ただし本来の送信者であれば、送信宛先以外の情報に基づいて送信状況表示、送信結果票、送信履歴表示および送信履歴票が自己の送信に関するものであることを判断することができるから、これらに基づいて送信に関する各種情報を確認することが可能である。
【００７２】
また本実施形態によれば、同報送信の場合には宛先毎に非表示設定を行うことを可能としているので、最小限の宛先番号のみを隠すことが可能である。すなわち、一部の宛先番号を隠したいがために全ての宛先番号を隠すといったことをしなくて済むため、これにより宛先番号表示を必要以上に隠すことがなく、送信状況表示、送信結果票、送信履歴表示および送信履歴票をより有用なものとすることが可能である。
【００７３】
なお、本発明は上記実施形態に限定されるものではない。例えば上記実施形態では、非表示設定がなされた送信に関する送信宛先は全く表示しないこととしているが、暗証情報などを用いて本来の送信者に限って確認することを可能としても良い。具体的には例えば、送信履歴情報エリアに図１５に示すように暗証番号の記憶領域を設定しておき、ここにユーザに指定させるか、あるいはＣＰＵ１がランダムに生成した暗証番号を記憶しておく。さらにＣＰＵ１がソフトウェア処理により実現する処理手段として、上記実施形態のものに加えて、暗証受付手段および禁止解除手段を備え、これらにより図１６に示すような送信履歴表示処理を実行するようにする。
【００７４】
なお暗証受付手段は、非表示設定の送信に関する送信宛先の表示が要求された場合に、ユーザによる暗証番号の指定を受け付ける。また禁止解除手段は、暗証受付手段により受け付けた暗証番号が、表示が要求されている送信宛先に対応付けられた暗証番号と一致する場合に、送信宛先の非表示を解除してその表示を行わせる。
【００７５】
図１６に示す送信履歴表示処理は、図１１に示す送信履歴表示処理に一部変更したものとなっている。このため、図１１と同一の処理には同一の符号を付してその詳細な説明は省略し、ここでは変更部分についてのみ説明する。
【００７６】
すなわちこの変形例における送信履歴表示処理においては、キーが押下されたことをステップＳＴ６５にて確認したならばＣＰＵ１は、そのキー押下が非表示解除を指示するものであるか否かを確認する（ステップＳＴ８１）。そして非表示解除を指定するものではないのであればＣＰＵ１は、ステップＳＴ６６での押下キーの確認を行う。しかし非表示解除を指定するものであったならばＣＰＵ１は、非表示解除を指定に続いてユーザが行う暗証番号の入力を受け付ける（ステップＳＴ８２）。そしてＣＰＵ１は、ここで入力された暗証番号と現在取得してある履歴情報に含まれる暗証情報とが一致するか否かを確認し（ステップＳＴ８３）、一致しなければそのままステップＳＴ６５のキー押下待ち受け状態に戻る。しかし、両暗証番号が一致することをステップＳＴ８３で確認したならばＣＰＵ１は、現在取得してあるのと同一の履歴情報を再取得し（ステップＳＴ８４）、この上でステップＳＴ６４以降の処理を繰り返す。これにより、ステップＳＴ６２およびステップＳＴ６３を経ることなしに、取得し直した履歴情報に基づく送信履歴画像の作成が行われ、表示されるので、宛先番号が隠されることなしに表示されることとなる。
【００７７】
また上記実施形態では、非表示設定がＯＮされた電話番号を表わさない対象として送信状況表示、送信結果票、送信履歴表示および送信履歴票を示しているが、必ずしもこれらの全てを対象としなければならないのではない。また、例えば通信中に常に相手先表示を行うなどのように別の形態での電話番号表示を行うのであれば、このような表示を対象としても良い。
【００７８】
また上記実施形態では、ＰＳＴＮを介してのファクシミリ通信を行うファクシミリ装置を例示しているが、ＩＳＤＮのような他の公衆網や、インターネットなどの別のネットワークを介してファクシミリ通信を行うファクシミリ装置にも本発明の適用が可能である。
【００７９】
また上記実施形態では、送信先情報として電話番号を示しているが、インターネットを介してファクシミリ通信を行う場合には送信先情報としてメールアドレスを用いることになる。また電話番号から送信先名が判定できる場合にこの送信先名を表示するようにしたファクシミリ装置であれば、この送信先名を送信先情報として取り扱うべきである。すなわち送信先情報とは電話番号に限らず、送信先を特定できるような情報を全て含む。
【００８０】
また上記実施形態では、非表示設定がなされている場合には電話番号の全桁を表示しないこととしているが、例えば下４桁のみは表示するといった具合に１つの電話番号のうちの一部分のみを隠す状態での表示を行うようにしても良い。そしてこのようにすれば、本来の送信者ではないユーザに送信先を知られないようにすることが可能である上に、送信者本人は表示された部分の一致から表示された情報が自己の送信に関する者であることを確認することが可能となり、便利となる。
【００８１】
また上記実施形態では、報知方法はディスプレイ表示や印刷などとしているが、音声によるなどのような別の方法を採用する場合であっても本発明の適用が可能である。
【００８２】
このほか、本発明の要旨を逸脱しない範囲で種々の変形実施が可能である。
【００８３】
【発明の効果】
本発明によれば、必要に応じて送信先を秘匿することが可能となる。
【図面の簡単な説明】
【図１】本発明の一実施形態に係るファクシミリ装置の要部構成を示す機能ブロック図。
【図２】図１中のＣＰＵ１による通常送信時処理の際の処理手順を示すフローチャート。
【図３】短縮番号の登録情報の一例を示す図。
【図４】図１中のＣＰＵ１による同報送信時処理の際の処理手順を示すフローチャート。
【図５】図１中のＣＰＵ１による送信状況表示処理の際の処理手順を示すフローチャート。
【図６】送信状況表示の具体例を示す図。
【図７】図１中のＣＰＵ１による送信終了時処理の際の処理手順を示すフローチャート。
【図８】送信履歴情報エリアの構成および記憶情報の一例を示す図。
【図９】送信結果票の具体例を示す図。
【図１０】送信結果票の具体例を示す図。
【図１１】図１中のＣＰＵ１による送信履歴表示処理の際の処理手順を示すフローチャート。
【図１２】送信履歴表示の具体例を示す図。
【図１３】図１中のＣＰＵ１による送信履歴印刷処理の際の処理手順を示すフローチャート。
【図１４】送信履歴票の具体例を示す図。
【図１５】送信履歴情報エリアの構成および記憶情報の変形例を示す図。
【図１６】図１中のＣＰＵ１による送信履歴表示処理の際の処理手順の変形例を示すフローチャート。
【符号の説明】
１…ＣＰＵ
２…ＲＯＭ
３…ＲＡＭ
４…情報記憶部
５…画像記憶部
６…符号化・復号化部
７…スキャナ
８…プリンタ
９…モデム
１０…ＮＣＵ
１１…電話機制御部
１２…電話機
１３…回線信号検出部
１４…操作・表示部
１５…時計部
１６…システムバス
【図１】
0004437879.tif 000002
【図２】
0004437879.tif 000003
【図３】
0004437879.tif 000004
【図４】
0004437879.tif 000005
【図５】
0004437879.tif 000006
【図６】
0004437879.tif 000007
【図７】
0004437879.tif 000008
【図８】
0004437879.tif 000009
【図９】
0004437879.tif 000010
【図１０】
0004437879.tif 000011
【図１１】
0004437879.tif 000012
【図１２】
0004437879.tif 000013
【図１３】
0004437879.tif 000014
【図１４】
0004437879.tif 000015
【図１５】
0004437879.tif 000016
【図１６】
0004437879.tif 000017